(57)【要約】【課題】揺動選別体により比重選別される穀粒等を効率良く選別風により風選別すること。【解決手段】搬入された穀稈を脱穀する脱穀部と、同脱穀部により脱穀された穀粒を選別する選別部とを備えると共に、選別部は、前後方向に揺動して比重選別を行う揺動選別体と、選別風を送風して風選別を行う唐箕とを具備する脱穀機において、揺動選別体の前部下方に唐箕を配設し、同唐箕の上部後方に選別風を上方へ案内する選別風上方案内体を配設する一方、揺動選別体に選別風上方案内体を介して上方へ案内された選別風を後方へ案内する選別風後方案内体を配設しているため、同選別風後方案内体により揺動選別体の前部から後方に向けて選別風を堅実に案内することができる。ができる。【選択図】図２
2010148463.tif 000002
【特許請求の範囲】
【請求項１】
搬入された穀稈を脱穀する脱穀部と、同脱穀部により脱穀された穀粒を選別する選別部とを備えると共に、選別部は、前後方向に揺動して比重選別を行う揺動選別体と、選別風を送風して風選別を行う唐箕とを具備する脱穀機において、
揺動選別体の前部下方に唐箕を配設し、同唐箕の上部後方に選別風を上方へ案内する選別風上方案内体を配設する一方、揺動選別体に選別風上方案内体を介して上方へ案内された選別風を後方へ案内する選別風後方案内体を配設したことを特徴とする脱穀機。
【請求項２】
揺動選別体にはフィードパンと、同フィードパンの後下方に配置したチャフシーブと、同チャフシーブの下方に配置したグレンシーブとを配設し、フィードパンの下方かつチャフシーブの前方に選別風後方案内体を配置すると共に、
同選別風後方案内体は、選別風上方案内体を介して上方へ案内された選別風を、フィードパンとチャフシーブの間を通して同チャフシーブの上方へ導く上側流路と、チャフシーブとグレンシーブとの間に導く下側流路とに分岐させて案内するようにしたことを特徴とする請求項１記載の脱穀機。
【請求項３】
選別風後方案内体は、揺動選別体と一体的に前後方向に揺動して、上側流路と下側流路の始端側流路径を交互に拡縮して、上側流路と下側流路に導かれる選別風の風圧が交互に変更されるようにしたことを特徴とする請求項２記載の脱穀機。
【発明の詳細な説明】
【技術分野】
【０００１】
本発明は、脱穀部と選別部とを備えた脱穀機に関する。
【背景技術】
【０００２】
従来、脱穀機の一形態として、搬入された穀稈を脱穀する脱穀部と、同脱穀部により脱穀された穀粒を選別する選別部とを備えると共に、選別部は、前後方向に揺動して比重選別を行う揺動選別体と、選別風を送風して風選別を行う唐箕とを具備するものがある（例えば、特許文献１参照）。
【０００３】
そして、唐箕は揺動選別体の前下方に配設して、同唐箕から揺動選別体に向けて（前下方から後上方に向けて）アンダースローの選別風を送風するようにしている。また、揺動選別体にはフィードパンと、同フィードパンの後下方に配置したチャフシーブと、同チャフシーブの下方に配置したグレンシーブとを配設している。
【０００４】
ここで、唐箕の後方位置には複数の選別風案内体を配置して、これらの選別風案内体を介して選別風をフィードパンとチャフシーブの間や、チャフシーブとグレンシーブとの間に導くようにしている。
【特許文献１】特開２０００−１３９１８３公報
【発明の開示】
【発明が解決しようとする課題】
【０００５】
ところが、上記脱穀機では複数の選別風案内体を唐箕の後方位置に配置しているために、同唐箕から選別風をチャフシーブの上面に沿わせて後方へ送風させることで風選別効率を向上させることが困難であった。また、上記脱穀機では一定の風路に一定の風圧の選別風が送風されるだけであるため、風選別効率を確保するためには所定の風量を送風する大型の唐箕を必要としていた。そのため、唐箕を小型化して、脱穀機自体をコンパクト化することが困難であった。
【課題を解決するための手段】
【０００６】
（１）請求項１記載の本発明に係る脱穀機は、搬入された穀稈を脱穀する脱穀部と、同脱穀部により脱穀された穀粒を選別する選別部とを備えると共に、選別部は、前後方向に揺動して比重選別を行う揺動選別体と、選別風を送風して風選別を行う唐箕とを具備する脱穀機において、揺動選別体の前部下方に唐箕を配設し、同唐箕の上部後方に選別風を上方へ案内する選別風上方案内体を配設する一方、揺動選別体に選別風上方案内体を介して上方へ案内された選別風を後方へ案内する選別風後方案内体を配設したことを特徴とする。
【０００７】
（２）請求項２記載の本発明に係る脱穀機は、請求項１に記載の脱穀機であって、揺動選別体にはフィードパンと、同フィードパンの後下方に配置したチャフシーブと、同チャフシーブの下方に配置したグレンシーブとを配設し、フィードパンの下方かつチャフシーブの前方に選別風後方案内体を配置すると共に、同選別風後方案内体は、選別風上方案内体を介して上方へ案内された選別風を、フィードパンとチャフシーブの間を通して同チャフシーブの上方へ導く上側流路と、チャフシーブとグレンシーブとの間に導く下側流路とに分岐させて案内するようにしたことを特徴とする。
【０００８】
（３）請求項３記載の本発明に係る脱穀機は、請求項２に記載の脱穀機であって、選別風後方案内体は、揺動選別体と一体的に前後方向に揺動して、上側流路と下側流路の始端側流路径を交互に拡縮して、上側流路と下側流路に導かれる選別風の風圧が交互に変更されるようにしたことを特徴とする。
【発明の効果】
【０００９】
（１）請求項１の本発明では、搬入された穀稈を脱穀する脱穀部と、同脱穀部により脱穀された穀粒を選別する選別部とを備えると共に、選別部は、前後方向に揺動して比重選別を行う揺動選別体と、選別風を送風して風選別を行う唐箕とを具備する脱穀機において、揺動選別体の前部下方に唐箕を配設し、同唐箕の上部後方に選別風を上方へ案内する選別風上方案内体を配設する一方、揺動選別体に選別風上方案内体を介して上方へ案内された選別風を後方へ案内する選別風後方案内体を配設している。
【００１０】
このように、揺動選別体に選別風上方案内体を介して上方へ案内された選別風を後方へ案内する選別風後方案内体を配設しているため、同選別風後方案内体により揺動選別体の前部から後方に向けて選別風を堅実に案内することができる。その結果、揺動選別体により比重選別される穀粒等を効率良く選別風により風選別することができる。
【００１１】
（２）請求項２の本発明では、請求項１に記載の脱穀機であって、揺動選別体にはフィードパンと、同フィードパンの後下方に配置したチャフシーブと、同チャフシーブの下方に配置したグレンシーブとを配設し、フィードパンの下方かつチャフシーブの前方に選別風後方案内体を配置すると共に、同選別風後方案内体は、選別風上方案内体を介して上方へ案内された選別風を、フィードパンとチャフシーブの間を通して同チャフシーブの上方へ導く上側流路と、チャフシーブとグレンシーブとの間に導く下側流路とに分岐させて案内するようにしている。
【００１２】
このように、選別風後方案内体で選別風上方案内体を介して上方へ案内された選別風をチャフシーブの上方へ導く上側流路と、チャフシーブとグレンシーブとの間に導く下側流路とに分岐させて案内するようにしているため、チャフシーブによる比重選別効果と選別風による風選別効果との相乗効果で選別効率を向上させることができる。
【００１３】
（３）請求項３の本発明では、請求項２に記載の脱穀機であって、選別風後方案内体は、揺動選別体と一体的に前後方向に揺動して、上側流路と下側流路の始端側流路径を交互に拡縮して、上側流路と下側流路に導かれる選別風の風圧が交互に変更されるようにしている。
【００１４】
このように、揺動選別体の前後揺動動作に連動して上側流路と下側流路に導かれる選別風の風圧が交互に変更されるようにしているため、選別風の風圧に間欠的な強弱を生起することができて、風選別効果の高い強い選別風が交互に得られる。その結果、チャフシーブによる比重選別効果と選別風による風選別効果との相乗効果で選別効率をより一層向上させることができる。
【発明を実施するための最良の形態】
【００１５】
本発明の実施形態を図面に基づき詳説する。図１は本発明にかかる脱穀機としての脱穀部を搭載したコンバインＣの側面図であり、図２は脱穀部と排塵処理部と選別部の断面側面説明図である。
【００１６】
コンバインＣは、図１に示すように、左右一対のクローラ式の走行部２，２上に機体フレーム１を配設し、同機体フレーム１の左側前端部に昇降機構１１を介して穀稈を刈り取る刈取部３を昇降回動自在に取り付けている。刈取部３には、刈り取った穀稈を搬送する搬送機構１２を配置している。搬送機構１２の後方位置である機体フレーム１の左側前部には、搬送された穀稈を脱穀する脱穀部５を配設している。脱穀部５の後方位置には、脱穀された穀稈を排塵処理する排塵処理部６を配設している。これら脱穀部５と排塵処理部６との下方位置には、脱穀された穀粒を一番穀粒と二番穀粒に選別する選別部７を配設している。機体フレーム１の右側前部には運転部８と原動機部（図示せず）を上下に位置させて配設して、これら運転部８と原動機部の後方位置に穀粒貯留部１０を配設している。１３は穀粒貯留部１０に連動連設した穀粒搬出部、１４は機体フレーム１の後部に配設した排藁処理部である。なお、駆動機部は他の各部を駆動するようにしている。
【００１７】
このようにして、コンバインＣでは、刈取部３で刈り取られた穀稈は、搬送機構１２によって脱穀部５へ搬送されて脱穀され、排塵処理部６にて排塵処理されて、排藁は排藁処理部１４で排藁処理される。また、脱穀された穀粒や排塵処理された穀粒は選別部７で一番穀粒と二番穀粒に選別される。選別部７にて選別された一番穀粒は、穀粒貯留部１０に搬送されて貯留され、その後、穀粒搬出部１３によって搬出される。選別部７にて選別された二番穀粒は、再度選別処理される。脱穀された穀稈、すなわち排藁は排藁処理部１４でせん断等されて排藁処理される。
【００１８】
脱穀部５は、図２に示すように、扱室２０の前・後壁２０ａ,２０ｂ間に前後方向に軸線を向けた扱胴軸２１を介して扱胴２２を軸架している。そして、扱胴２２は扱室２０の左側部に偏倚させて軸架して、前壁２０ａの下部に前後方向及び左側方を開口して前記搬送機構１２と連通する穀稈搬入口２３を形成する一方、後壁２０ｂの下部に前後方向及び左側方を開口して排塵処理部６と連通する排稈搬出口２４を形成している。扱室２０の左側壁にはフィードチェーン２５（図１参照）を架設状に配設している。
【００１９】
このようにして、フィードチェーン２５により搬送機構１２から受け継いだ穀稈は、穀稈搬入口２３を通して扱室２０内を移送させることで脱穀処理し、排稈搬出口２４を通して搬出した後、排塵処理部６→排藁処理部１４まで移送させるようにしている。
【００２０】
扱胴２２は、図２に示すように、前後方向に軸線を向けた円筒状の周壁部２６と前・後端壁部２７,２８とで形成しており、周壁部２６は大部分を占める扱胴本体としての大径部２６ａと後端部に位置する段付き小径の小径部２６ｂとから形成している。２９ａは大径部２６ａに突設した扱歯、２９ｂは小径部２６ｂに突設した扱歯である。そして、大径部２６ａの扱歯２９ａと小径部２６ｂの扱歯２９ｂの各先端の回転軌跡は略同一となすべく、小径部２６ｂの扱歯２９ｂの突出長を長目に形成している。
【００２１】
前記大径部２６ａの前・後部の直下方位置には、前・後部受網支持壁３０,３１を前後対向状態に配設している。両前・後部受網支持壁３０,３１は、長手端面が上下に位置する薄肉の板状体を、大径部２６ａの周面に沿わせて左右幅方向に円弧状に伸延させて形成して、扱室２０を形成する左・右側壁間に架設している。そして、前部受網支持壁３０の後面の上下方向の中途部と後部受網支持壁３１の前面の上下方向の中途部間に、受網３２を扱胴２２の周面に沿った円弧状に湾曲させて着脱自在に張設している。このようにして、穀稈の穂先部が扱胴２２の周壁部２６と受網３２との間で後方に移送される間に、回転する扱胴２２の扱歯２９ａ,２９ｂで脱穀されるようにしている。扱胴２２は正面視にて時計廻りに回転される。
【００２２】
排塵処理部６は、図２に示すように、扱室２０の送塵口３３の後方斜め上に吸引排塵ファン３４を配設している。３５は吸引排塵ファン３４の上方を被覆するファンカバー、３６は吸引排塵ファン３４の後方に配置した排出路形成体、３７は排出路形成体３６により形成されて機外に連通する排出路である。なお、吸引排塵ファン３４は図２において時計廻りに回転する。このようにして、吸引排塵ファン３４により送塵口３３から排出される排塵を吸引すると共に、排出路３７を通して機外へ排出するようにしている。
【００２３】
選別部７は、図２に示すように、上部には楕円揺動機構３９を介して揺動選別体３８を揺動自在、すなわち、前後方向に横長の楕円運動をさせることで前後方向に大きく、そして、上下方向に小さく揺動運動するように配設している。揺動選別体３８は、脱穀部５の扱室２０の下方位置から吸引排塵ファン３４の下方位置まで伸延させて形成している。そして、揺動選別体３８は、上下方向に開口して四角形枠状に形成した選別体本体６０の前部にフィードパン６１を張設し、その後方にチャフシーブ６２を設け、その下方にグレンシーブ６３を配設している。また、揺動選別体３８の始端側下方には圧風ファンである唐箕６４を設け、同唐箕６４の後方で前記グレンシーブ６３の下方には一番螺旋コンベア６５を軸装した一番樋６６を横設している。
【００２４】
揺動選別体３８の後下方には、チャフシーブ６２、グレンシーブ６３、一番樋６６により選別回収されなかった選別不充分なワラ屑等に混じった穀粒を選別回収するための二番螺旋コンベア６７を軸装した二番樋６８が配設している。６９は選別ストローラックである。
【００２５】
チャフシーブ６２は、図３に示すように、左右方向に伸延する四角形板状に形成した多数のチャフシーブ形成片６２ａを前後方向に一定の間隔を開けて配置して形成している。そして、選別体本体６０に支軸６２ｂを介して各チャフシーブ形成片６２ａの中途部を左右方向の軸線廻りに枢支すると共に、連結片６２ｃを介して各チャフシーブ形成片６２ａの下端部を一体的に連結している。
【００２６】
このようにして、連結片６２ｃを前後方向に摺動させることで、前後方向に隣接するチャフシーブ形成片６２ａ,６２ａ同士の間に上下方向に連通状態に形成される開口部７０の開口量を調節することができるようにしている。ここで、開口量は、チャフシーブ形成片６２ａが略鉛直に起立すると大となり、略水平に横臥すると小となる。
【００２７】
また、唐箕６４は、左側方が開口して左右方向に横長のケーシング体７１内にファン軸７２を介してファン７３を回転自在に軸架して、同ファン７３を回転させることでケーシング体７１の左側開口部から吸気して後上方の揺動選別体３８に向けて選別風を送風するようにしている。なお、ファン７３は図２〜図４において反時計廻りに回転されて回転軌跡Ｋを形成する。
【００２８】
すなわち、ケーシング体７１は、図３にも示すように、唐箕６４の前方を被覆する前部ケーシング片７４と、唐箕６４の上方を被覆する上部ケーシング片７５と、唐箕６４の下方を被覆する下部ケーシング片７６とから形成して、後方に送風口８３を形成している。上部ケーシング片７５の後端縁部７５ａは、ファン７３の回転軌跡Ｋの後端部上方に位置させて、同後端縁部７５ａを下方へ延設して前部選別風上方案内体７５ｂを形成している。下部ケーシング片７６は、後端縁部を後上方へ伸延させて選別風後方案内体７６ａとなし、同選別風後方案内体７６ａを前記一番樋６６の前端縁部に連設している。
【００２９】
ファン７３の後上方位置には後部選別風上方案内体７７を配設し、同後部選別風上方案内体７７の後下方位置には選別風後方分流案内体７８を配設している。後部選別風上方案内体７７は、略鉛直面となした前面部７７ａと後下方への下り面となした上面部７７ｂと後上方への上り面となした下面部７７ｃとから側面視三角形状で左右方向に伸延する筒状に形成している。そして、後部選別風上方案内体７７の前面部７７ａと前部選別風上方案内体７５ｂとを前後に略平行状態に対向させて、ファン７３から上方へ向けて送風される選別風の流路となる上方流路Ｒｕが形成されるようにしている。
【００３０】
選別風後方分流案内体７８は板状に形成して選別風後方案内体７６ａに平行させて配置している。そして、後部選別風上方案内体７７の下面部７７ｃと選別風後方分流案内体７８との間には、後上方のチャフシーブ６２に向けて送風される選別風の流路となる後方流路Ｒｂが形成されるようにしている。また、選別風後方分流案内体７８と選別風後方案内体７６ａとの間には、一番樋流路Ｒｔが形成されるようにしている。
【００３１】
しかも、前記した選別体本体６０には選別風後方案内体７９を配設して、同選別風後方案内体７９により前・後部選別風上方案内体７５ｂ,７７を介して上方へ案内された選別風を２つの選別風に分岐させて後方へ案内するようにしている。すなわち、選別風後方案内体７９は、フィードパン６１の中途部下方位置でかつチャフシーブ６２の前方位置において、選別体本体６０の左右側部間に左右方向に伸延する支軸８０を横架して、同支軸８０に前低後高の傾斜板状に形成した前面案内体形成片７９ａの下端縁部を固設し、同前面案内体形成片７９ａの上端縁部より前記チャフシーブ形成片６２ａの下端縁部に向けて下り傾斜板状に伸延する上面案内体形成片７９ｂを形成して、側面視「へ」の字状となしている。６０ａは選別体本体６０の前壁内面部であり、前壁内面部６０ａは前低後高の傾斜面に形成して、上方へ案内された選別風をフィードパン６１の下面に沿わせて後方へ案内するようにしている。８１は選別体本体６０の前面部から上部ケーシング片７５の上面に垂下した前部遮蔽体、８２は選別体本体６０の下面中途部から後部選別風上方案内体７７の上面部７７ｂに垂下した後部遮蔽体であり、これら前・後部遮蔽体８１,８２は、弾性ゴム等の可撓性素材により成形して、前後方向に揺動・変形しながらも前後空間を遮蔽するようにしている。
【００３２】
そして、図４の風路概念図に示すように、選別風後方案内体７９は上側流路Ｒｕ１と下側流路Ｒｕ２とに分岐させて案内するようにしている。上側流路Ｒｕ１は選別風後方案内体７９の上面側に沿わせて選別風を案内して、フィードパン６１とチャフシーブ６２の間を通して同チャフシーブ６２の上方へ導く流路である。下側流路Ｒｕ２は選別風後方案内体７９の下面側に沿わせて選別風を案内して、チャフシーブ６２とグレンシーブ６３との間に導く流路である。また、選別風後方案内体７９は、上方流路Ｒｕの終端部において、揺動選別体３８と一体的に前後方向に揺動幅Ｗだけ揺動して、上方流路Ｒｕの終端部で分岐されて形成される上側流路Ｒｕ１と下側流路Ｒｕ２の始端側流路径を交互に拡縮して、上側流路Ｒｕ１と下側流路Ｒｕ２に導かれる選別風の風圧が交互に変更されるようにしている。Ｗｕは上方流路Ｒｕに沿って流れる上方選別風、Ｗｕ１は上側流路Ｒｕ１に沿って流れる上側分岐選別風、Ｗｕ２は下側流路Ｒｕ２に沿って流れる下側分岐選別風、Ｗｂは後方流路Ｒｂに沿って流れる後方選別風、Ｗｔは一番樋流路Ｒｔに沿って流れる一番樋選別風である。Ｗｕ３は下側分岐選別風Ｗｕ２からチャフシーブ形成片６２ａ,６２ａ間を流通する上方流通選別風、Ｗｂ１は後方選別風Ｗｂからグレンシーブ６３中を流通する後方流通選別風である。
【００３３】
このようにして、図４に示すように、本実施形態ではファン７３により生起される選別風を送風口８３を通して上方及び後上方へ圧送することができる。この際、揺動選別体３８に選別風後方案内体７９を配設して、前・後部選別風上方案内体７５ｂ,７７を介して上方へ案内された上方選別風Ｗｕを上記選別風後方案内体７９により後方へ案内するようにしているため、揺動選別体３８の前部から後方に向けて上方選別風Ｗｕを堅実に案内することができる。その結果、揺動選別体３８により比重選別される穀粒等を効率良く上方選別風Ｗｕにより風選別することができる。
【００３４】
そして、上方選別風Ｗｕは、選別風後方案内体７９によりチャフシーブ６２の上方へ導く上側流路Ｒｕ１に沿って流れる上側分岐選別風Ｗｕ１と、チャフシーブ６２とグレンシーブ６３との間に導く下側流路Ｒｕ２に沿って流れる下側分岐選別風Ｗｕ２とに分岐されるようにしているため、チャフシーブ６２による比重選別効果と上・下側分岐選別風Ｗｕ１,Ｗｕ２とによる風選別効果との相乗効果で選別効率を向上させることができる。
【００３５】
しかも、揺動選別体３８が前後方向に揺動幅Ｗだけ揺動動作するのに連動して同揺動選別体３８に一体的に設けた選別風後方案内体７９も前後方向に揺動幅Ｗだけ揺動動作するため、同選別風後方案内体７９の前後進退動作に連動して上方流路Ｒｕの終端部で分岐されて形成される上側流路Ｒｕ１と下側流路Ｒｕ２の始端側流路径が交互に拡縮される。すなわち、図４（ｂ）に示すように、選別風後方案内体７９が前方に進出した際には上側流路Ｒｕ１の始端側流路径が縮径されると共に、下側流路Ｒｕ２の始端側流路径が拡径される。そして、図４（ａ）に示すように、選別風後方案内体７９が後方に後退した際には上側流路Ｒｕ１の始端側流路径が拡径されると共に、下側流路Ｒｕ２の始端側流路径が縮径される。このように、上側流路Ｒｕ１と下側流路Ｒｕ２の始端側流路径が交互に拡縮されることで、上側流路Ｒｕ１に導かれる上側分岐選別風Ｗｕ１と下側流路Ｒｕ２に導かれる下側分岐選別風Ｗｕ２の風圧が交互に変更される。その結果、これら上・下側分岐選別風Ｗｕ１,Ｗｕ２の風圧に間欠的な強弱を生起することができて、これら上・下側分岐選別風Ｗｕ１,Ｗｕ２を風選別効果の高い脈流となすことができる。そのため、風選別効果の高い強い選別風が交互に得られる。そして、前後方向に横長の楕円運動をさせることで前後方向に大きく、かつ、上下方向に小さく揺動運動する揺動選別体３８のチャフシーブ６２による比重選別効果と、強い選別風が交互に生起される上・下側分岐選別風Ｗｕ１,Ｗｕ２による高い風選別効果との相乗効果で選別効率をより一層向上させることができる。
【図面の簡単な説明】
【００３６】
【図１】本発明かかる脱穀機としての脱穀部を搭載したコンバインの側面図。
【図２】脱穀部と排塵処理部と選別部の断面側面説明図。
【図３】選別部の側面説明図。
【図４】選別風路説明図。
【符号の説明】
【００３７】
Ｃ  コンバイン
５  脱穀部
６  排塵処理部
７  選別部
３７  吸引排塵ファン
３８  揺動選別体
６４  唐箕
Ｒｕ  上方流路
Ｒｂ  後方流路
Ｒｕ１  上側流路
Ｒｕ２  下側流路
Ｗ  揺動幅
Ｗｕ  上方選別風
Ｗｕ１  上側分岐選別風
Ｒｕ１  上側流路
下Ｗｕ２  側分岐選別風
【図１】
2010148463.tif 000003
【図２】
2010148463.tif 000004
【図３】
2010148463.tif 000005
【図４】
2010148463.tif 000006